Podtech/llm-jp-corpus-v4-ja_patent huggingface dataset:
(57)【要約】      （修正有）【課題】ポリタンクの上部形状が複雑であっても複数重さねられるようにすること。【解決手段】現在はポリタンクの上部が複雑な形状のため重さねることが容易でなく、一般的には地面等に直接置くことになり、そのような時に複数のポリタンクを置く面積が台数分だけ必要になる。この架台はポリタンクの給油口をずらしながら３台収納でき、また収納した状態でストーブ、ファンヒーターのカートリッジタンクに給油を可能にした。【選択図】図２
2006290457.tif 000002
【特許請求の範囲】
【請求項１】
灯油用ポリタンクを３つ重さねることができる架台。
【請求項２】
ポリタンクを重さねた状態で石油ストーブ又は石油ファンヒーター用のカートリッジタンクに給油ができる架台。
【発明の詳細な説明】
【技術分野】
【０００１】本発明は灯油用ポリタンクを整理し、給油が容易にできる架台に関したもの。〔背景技術〕【０００２】一般家庭はポリタンクを前後左右に並べて場所を取りすぎるまた形状が複雑な形ちで重さねることが容易でなく安定性がない。〔発明の開示〕〔発明が解決しようとする課題〕【０００３】ポリタンクが複数ある場合、収納場所に困り横幅の面積が必要になる。【０００４】ポリタンクを重さねようとすることが安定性がなく危険〔課題を解決するための手段〕【０００５】上記に示した問題点を解決するためポリタンク約１っの面積で３っのポリタンクを安全に重さね置きする【０００６】また今回の発明した架台は３っのポリタンクを重さね、その状態でポリタンクから石油ストーブ、石油ファンヒーター用のカートリッジタンクに給油ができる。〔発明効果〕【０００７】前記に述べた架台は場所を取らず３っのポリタンクを整理収納ができストーブ、ファンヒーターのカートリッジタンクに給油が可能になる。〔発明の実施するための最良の形態〕【０００８】この架台の形態を図１〜図３で説明する。【０００９】図１の１、２、３のプレートにポリタンクが収納できる。【００１０】図３のＢ矢視から見ると１、２、３のプレートがポリタンクの給油口の部分だけずれている。【００１１】２、３のプレートの切込はポリタンクの取手をにぎって持ち上げ、収納するときに手があたらないようにＵ形に加工している。【００１２】図１のプレート４はストーブ、ファンヒーターのカートリッジタンクをのせることができる。【００１３】プレート２、３の左右４ヶ所に移動が可能にした。【００１４】図面上の５は３段目のポリタンクをのせるとき後側に落下しないように取り付けた。
【図面の簡単な説明】
【００１５】
【図１】本架台の正面から見た図
【図２】Ａ矢視から見た側面図
【図３】Ｂ矢視の上から見た図
【符号の説明】
【００１６】２、３  ポリタンク置４      カートリッジタンク置
【図１】
2006290457.tif 000003
【図２】
2006290457.tif 000004
【図３】
2006290457.tif 000005
(57)【要約】【課題】  エレベーターに気軽に、且、閉塞感なしに搭乗させることは小店舗内において特に必要である。又、一般家庭でも２階へ気軽に昇降させることが必要である。【解決手段】  エレベーターの籠１に乗り込んだ搭乗者を最初は斜上方向に、次に次第に垂直に変化させて上昇させ、ゆったりとした乗り心地を与え、且、閉塞感を与えることなく１階より２階に運ぶために籠１をＪ字形の運行させるようにしたエレベーターの構造。【選択図】  図２
2006290614.tif 000002
【特許請求の範囲】
【請求項１】
エレベーターの籠１に乗り込んだ搭乗者を最初は斜上方向に、次に次第に垂直に変化させて上昇させて、ゆったりとした乗心地を与え、且、閉塞感を与えることなく１階より２階に運ぶために籠１をＪ字形の運行をやるようにしたエレベーターの構造。
【発明の詳細な説明】
【技術分野】
【０００１】  本発明は店舗内及び家庭用に広く使用出来るエレベーターである。
【背景技術】
【０００２】  従来のエレベーターの籠は建物の各層の床を四角に切り抜いて設けられた垂直の昇降路内を昇降するため、上昇時、上の階の床との接触の危険を避けるため籠には天井と長尺の扉が設けられている。そのため乗客は密室に閉じこめられ、特に小型のエレベーターではこの閉塞感が著しい。
【発明の開示】
【発明が解決しようとする課題】
【０００３】  従来のエレベーターの籠の閉塞感を除去することは特に小店舗内にエレベーターを設置するために必要であり、又一般家庭でも２階へ気軽に昇降するために必要な条件の一つである。
【課題を解決するための手段】
【０００４】  エレベーターの籠１に乗り込んだ搭乗者を最初は斜上方向に、次に次第に垂直に変化させて上昇させて、ゆったりとした乗心地を与え、且、閉塞感を与えることなく１階より２階に運ぶために籠１をＪ字形の運行をさせるようにする。
【発明の効果】
【０００５】  このエレベーターを採用し設置することにより店舗設計のレイアウトを容易にし、且、明るい広い空間を実現することが可能となる。又一般家庭でも同様にゆったりした雰囲気を作り出すことが出来る。
【発明を実施するための最良の形態】
【０００６】  図１、図２及び図３は本発明実施の一例である。
４本の溝形ガイドレール２内には多数のガイドローラー４を着けたチェイン３がその中に滑動しうる様納められており、その末端はエレベーターの籠１の４隅に連結されている。従ってこの４本のガイドローラー付チェイン３が同時に同一の距離上昇又は下降することにより籠の床は水平に昇降する。４本の溝形ガイドレール２を図２のようにＪ字形に湾曲させておくと、籠１は最初は斜上方向に、次に次第に垂直にＪ字形に上昇して２階又３階以上の階に到着するようになっている。【０００７】  搭乗者は籠１に乗り込み、籠１の進行方向に向き、上昇起動ボタンを押すと籠１は図２の鎖線図のように移動し、搭乗者を矢印のように前方斜上方向に徐々に上昇させ、次に次第に垂直に上昇させ２階床面又は３階以上の階上床面に引き上げる。このように搭乗者はエスカレーターに乗り、引き上げられていく様な感じで斜上方に移動させられるため、通常のエレベーターのように始動開始時急に垂直上方に引き上げられる違和感がなくなる。【０００８】  そして又、従来のエレベーターの籠は建物の各階の床を四角に切り抜いて設けられた垂直の昇降路内を昇降するため、上昇時上の階の床との接触の危険を避けるため籠には天井と背の高い扉が設けられている。そのため乗客は密室に閉じこめられる閉塞感が避けられない。特に小型のエレベーターでは著しい。これに反し、本発明のエレベーターの籠の上方は斜めに上昇していくにつれて２階の床より離れていくため、その圧迫感がない。そしてそのため籠１には天井を設ける必要がなく、且、周囲の壁も高くする必要がない。従って搭乗者は籠上より周辺を見渡すことが可能となり、エレベーターに乗ることの密室感より解放される気分となり、小店舗では気軽にエレベーターが使用されるようになる。
【図面の簡単な説明】
【０００９】
【図１】本発明実施の一例を示す正面図
【図２】図１のＸ−Ｘ断面図
【図３】平面図
【符号の説明】
【００１０】１・・・エレベーターの籠          ２・・・溝形ガイドレール
３・・・ガイドローラー付チェイン  ４・・・ガイドローラー
５・・・籠１の周囲の壁            ６・・・１階の床
７・・・２階の床
【図１】
2006290614.tif 000003
【図２】
2006290614.tif 000004
【図３】
2006290614.tif 000005
(57)【要約】【課題】  二輪車の補助輪の量産性についての解決【解決手段】  二輪車の補助輪の取付について車体に付ける台座の部分のみを各車両専用とし、それ以外の補助輪部分を共通部品に、また車体左右に板バネを直接取り付けることによって構造そのものを簡素化し、生産コストを抑え量産性を高くした。【選択図】    図１
2006290318.tif 000002
【特許請求の範囲】
【請求項１】
二輪車の補助輪の取付について車体に付ける台座の部分のみを各車両専用とし、それ以外の補助輪部分を共通部品とすることにより汎用性を高くした事を特徴とする。
【請求項２】
機構の複雑さを解決するため、車体左右に板バネを直接取り付け、それに補助車輪を付けることによって構造そのものを簡素化し、生産コストを抑え量産性を高くした事。
【発明の詳細な説明】
【技術分野】
【０００１】本発明は、二輪車に取り付ける補助輪に関するものであり、転倒の不安なく乗車できる様にするものである。
【技術背景】
【０００２】従来から、二輪車における転倒を防ぐ為に色々な補助輪が利用されている。
【発明の開示】
【発明者が解決しようとする課題】
【０００３】しかし、従来のような補助輪は、機構が複雑であったり量産に際して汎用性が少ない、本発明はこのような問題を解決することを課題とする。
【発明が解決するための手段】
【０００４】この課題を解決するための請求項１の発明は、車体に付ける台座の部分のみを各車両専用とし、それ以外の補助輪部分を共通部品として汎用性を高くした。
【０００５】また、機構の複雑さを解決するため、請求項２の発明は、車体左右に板バネを直接取り付け、それに補助車輪を付けることによって構造そのものを簡素化し、生産コストを抑え量産性を高くした。
【発明の効果】
【０００６】本発明により、二輪車における転倒の不安を解決することができる。
【発明を実施するための最良の形態】
【０００７】図１、２で示す側面図の通り二輪車の側面左右に補助輪を配する。この時車体側台座が、別部品となっていること、また板バネを使用することにより車輪取付に関してのすべての機能（サスペンション、ステー等）をそれにより賄っている。
【産業上の利用の可能性】
【０００８】本発明に係る側車は、工業的に量産することが可能のため、産業上の利用可能性を有する。
【図面の簡単な説明】
【０００９】
【図１】補助輪を側面から見た図である。
【図２】補助輪を車両に取り付けた概念図である。
【符号の説明】
【００１０】１      車体取付台座
２      板バネ
【図１】
2006290318.tif 000003
【図２】
2006290318.tif 000004
(57)【要約】      （修正有）【課題】軽車両（自転車等）の片手運転におけるブレーキ制動距離を短くしハンドルのブレを防ぎ片手運転時に発生する事故を防ぎこれからの軽車両の安全運転・事故防止に貢献する。【解決手段】軽車両（自転車等）の安全基準に準拠しブレーキ装置を本体ハンドル支柱に取付しハンドルからのブレーキワイヤー押入し装置と接続。車体側からのブレーキワイヤーを押入し装置と接続すると可動金具がシャフトによって上下に動き出してこの原理により前後どちらかのブレーキを引くことによって前後のブレーキが同時に作動する。【選択図】図２
2006290314.tif 000002
【特許請求の範囲】
【請求項１】
今現在市販されている軽車両（自転車）は、運転席から見てハンドルの左一端に後輪用ブレーキ、右一端に前輪ブレーキが装着されているが、前記ハンドル支柱に配置したブレーキ装置に連動すべくハンドルの左ワイヤー右ワイヤーを前後同位穴に車体前ブレーキワイヤーをシャフト内側の穴に車体後ブレーキワイヤーをシャフト外側の穴に各ワイヤー（４本）を固定金具を通し可動金具に連結する。
可動金具には中心より左よりにシャフト付ける事によりてこの原理でハンドルの片方のブレーキレバーを引くともう片方のブレーキレバーも作動する。
片手で前後のブレーキを同時に作動させる装置
【請求項２】
可動金具のシャフト左穴２個はシャフト中心より内側と外側にする事により動体ブレーキの前４：後６の比率を可能とした特徴の自転車用前後同時ブレーキ装置
【発明の詳細な説明】
【技術分野】
【０００１】本発明は軽車両（自転車等）に備えられているブレーキを片手運転時に前後同時にブレーキを作動させる安全装置
【背景技術】
【０００２】軽車両のブレーキ装置は一般的にはギヤとか電動装置とかでかなり高度な装置の取付を要したが本装置は素人の人で取付は可能であり耐久性、安全性、デザイン性に優れているものである。
【発明の開示】
【発明が解決しようとする課題】
【０００３】道路交通法（軽車両法）において片手運転を取締も出来ない状況であり、片手運転時のブレーキの制動距離・ハンドル操作の安定性を向上させる事により交通事故の軽減につながるものである。
【課題を解決するための手段】
【０００４】軽車両（自転車等）の安全基準に準拠しブレーキ装置を本体ハンドル支柱に取付しハンドルからのブレーキワイヤー押入し装置と接続。車体側からのブレーキワイヤーを押入し装置と接続すると可動金具がシャフトによって上下に動き出してこの原理により前後どちらかのブレーキを引くことによって前後のブレーキが同時に作動する。
【図面の簡単な説明】
【０００５】
【図１】  本発明の実施形態を示す図
【図２】  同装置  構成図
【図３】  同装置  本体の外観図
【図４】  同装置  断面図
【図５】  同装置  正面図
【符号の説明】
【０００６】  １．ブレーキレバー後輪用
２．ブレーキレバー前輪用
３．後輪ブレーキワイヤー
４．前輪ブレーキワイヤー
５．自転車本体からの前ブレーキワイヤー
６．自転車本体からの後ブレーキワイヤー
７．ブレーキ装置
８．ブレーキ装置固定金具
９．ブレーキ装置可動金具
１０．可動金具のシャフト
１１．固定金具
１２．可動金具
１３．ハンドルからの前ブレーキワイヤー連結穴
１４．ハンドルからの後ブレーキワイヤー連結穴
１５．自転車本体からの前ブレーキワイヤー連結穴
１６．自転車本体からの後ブレーキワイヤー連結穴
１７．シャフト
【図１】
2006290314.tif 000003
【図２】
2006290314.tif 000004
【図３】
2006290314.tif 000005
【図４】
2006290314.tif 000006
【図５】
2006290314.tif 000007
(57)【要約】【課題】トルマリン鉱石のび粉末と磁性粉末又はペレット状の磁石を含有した突起を設けたハンドルカバーで、車を運転しながら健康になるハンドルカバーを提供する。【解決手段】車両のハンドルを覆うハンドルカバーを設け、そのハンドルカバーの材料は合成樹脂製又は硬質ゴムからなり射出成形機又は型等で成形する。その材料にトルマリン鉱石の微粉末と磁性粉末又はペレット状磁石入りの突起を設ける、その筒状の内側の開いたハンドルカバーを設け、車のハンドルに挿入する。これによりトルマリン、又磁気による特性を利用できることを特徴とする運転しながら健康になるトルマリン・磁気入りハンドルカバー。【選択図】  図１
2006290316.tif 000002
【特許請求の範囲】
【請求項１】
車のハンドルを覆うハンドルカバーであって、該ハンドルカバーはトルマリン鉱石の微粉末６ミクロン以下と、磁性粉末又はペレット状磁石を含有した筒状の合成樹脂製又は硬質ゴムからなり、筒状の内側が開いていることを特徴とする運転しながら健康になるトルマリン・磁気入りハンドルカバーである。
【請求項２】
トルマリン鉱石の微粉末と磁性粉末又はペレット状磁石を含有した筒状の内側が開いた合成樹脂製又は硬質ゴム製のハンドルカバーにおいて、全体に突起のある請求項１記載の運転しながら健康になるトルマリン・磁気入りハンドルカバー。
【請求項３】
トルマリン鉱石の微粉末と磁性粉末又はペレット状磁石を含有した筒状の内側が開いた合成樹脂製又は硬質ゴム製のハンドルカバーにおいて、部分的に突起のある請求項１〜２記載の運転しながら健康になるトルマリン・磁気入りハンドルカバーである。
【請求項４】
トルマリン鉱石の微粉末と磁性粉末を含有した筒状の内側が開いた合成樹脂製又は硬質ゴム製のハンドルカバーにおいて、全体、又は部分的に突起部にペレット状磁石入りの請求項１〜３記載の運転しながら健康になるトルマリン・磁気入りハンドルカバー。
【請求項５】
トルマリン鉱石の微粉末と磁性粉末を含有した筒状の内側が開いた合成樹脂製又は硬質ゴム製のハンドルカバーにおいて、突起と突起部分にペレット状の磁石を挿入した、突起とペレット状磁石入りの混合タイプを特徴とする請求項１〜４記載の運転しながら健康になるトルマリン・磁気入りハンドルカバー。
【請求項６】
合成樹脂製又は硬質ゴムの材料にトルマリン鉱石の微粉末と磁性粉末又はペレット状の磁石を含有するため、トルマリンの特性であるマイナスイオンの発生、消臭、抗菌、殺菌等の効果、又は、磁気による血行の促進、神経組織の活性化、突起の刺激により眠くならない等の効果がある請求項１〜５記載の運転しながら健康になるトルマリン・磁気入りハンドルカバー。
【発明の詳細な説明】
【技術分野】
【０００１】  本発明は、車両のハンドルに突起付きハンドルカバーを装着し、そのハンドルカバーの中に身体に良いトルマリン鉱石の粉末又は磁性粉末及びペレット状磁石を含有した筒状の合成樹脂製又は硬質ゴムの健康器具に関する。
【背景技術】
【０００２】  従来のハンドルカバーは正面がざらざらした滑り止めのついたハンドルカバーが多く使用されており、硬質突起物を設けその突起によって壷を刺激し手のひらを刺激し、血行をよくする健康器具としてのハンドルカバーはあるが、あまり使用されていない。又、トルマリン鉱石の粉末、磁性粉末又はペレット状の磁石を挿入した合成樹脂製又は硬質ゴムのハンドルカバーは見あたらない。
参考例として、次のものがある。
【実用新案】
実開平０８−００１６３５号公告がある。
【実用新案】
実開平０６−００８１４７号公告がある。
【登録実用新案】
第３００４８５６号公報がある。
【発明の開示】
【発明が解決しようとする課題】
【０００３】  それには次のような問題点があった。
（イ）  突起物のあるハンドルカバーはあまり見当たらない。
（ロ）  突起物の中に身体に良いトルマリン鉱石の粉末、又は磁性粉末・ペレット状の磁石の入ったハンドルカバーはない。
（ハ）  トルマリン鉱石の粉末、磁性粉末又はペレット状の磁石により、手の平の壷を刺激し血行をよくする健康器具としてのハンドルカバーは少ない。
（ニ）  トルマリン鉱石の粉末を混錬した筒状の合成樹脂製のハンドルカバーで、トルマリンの特性を最大限に利用し、マイナスイオンによる消臭、抗菌、消毒効果があるハンドルカバーはない。
本発明は、以上の問題点を解決するためのものである。
【問題を解決するための手段】
【０００４】  手の平の壷を刺激する硬質突起物を設けた健康に良い車両のハンドルを覆うためのカバーを設け、そのハンドルカバーの材質をトルマリン鉱石の微粉末と磁性粉末又はペレット状の磁石を混錬した合成樹脂製あるいは硬質ゴムで構成されており、射出成形機又は型等で成形する。トルマリン鉱石の微粉末を含有することにより、手の平の汗等と反応してマイナスイオンが発生し、又、消臭、抗菌、消毒等でハンドルカバーを清潔にし、磁性粉末又はペレット状の磁石を含有することにより、血行は促進され、神経組織は活性化する。以上を特徴とするトルマリン・磁気入りハンドルカバーである。
【発明の効果】
【０００５】  ハンドルカバーの表面に硬質突起物を設けることで、手の平の壷を刺激し健康によく、また合成樹脂製又は硬質ゴムのハンドルカバーにトルマリン鉱石の微粉末と磁性粉末又はペレット状の磁石を含有させたことにより、トルマリンの特性であるマイナスイオンの発生、消臭，抗菌、消毒等の効果、に加えて、磁気による血行の促進、神経組織の活性化等の効果が期待できる。
又、突起によりつぼを刺激するために血行がよくなり眠くならない、目が覚めるという効果も期待できる。
【発明を実施するための最良の形態】
【０００６】  以下、本発明の実施の形態を説明する。
（１）  合成樹脂又は硬質ゴムを設ける。
（２）  合成樹脂又は硬質ゴムにトルマリン鉱石の微粉末と磁性粉末又はペレット状の磁石を混錬する。
（３）  射出成形用の金型又は他の型に複数の突起部を適所に設ける。
（４）  射出成形機その他の成形機等で成形又は加工する。
本発明は、以上の構成よりなっている。
【図面の簡単な説明】
【０００７】
【図１】  本発明の突起を設けた平面図。
【図２】  本発明の部分的に突起を設けた平面図。
【図３】  本発明の磁気入り突起を設けた平面図。
【図４】  本発明の部分的に磁気を設けた平面図。
【図５】  本発明の突起と磁気混合タイプの平面図。
【符号の説明】
【０００８】    １  ハンドルカバー
２  ハンドル
３  突起
４  磁性粉末又はペレット状磁石
５  トルマリン鉱石の微粉末
【図１】
2006290316.tif 000003
【図２】
2006290316.tif 000004
【図３】
2006290316.tif 000005
【図４】
2006290316.tif 000006
【図５】
2006290316.tif 000007
(57)【要約】      （修正有）【課題】今まで工事現場などで地面を踏み固めるための機械プレートは車輪がなくしかもかなり重く移動が大変困難だった。【解決手段】台車の台を地面に接地させ段差をなくし持ち上げることなくプレートを台車に乗せ移動。【選択図】図１
2006290322.tif 000002
【特許請求の範囲】
【請求項１】
車輪がなく重量があり人が持ち上げることのできないプレート（工事現場などで地盤を踏み固める機械）を引っ張ってスライドさせることにより台車に乗せることを特徴とする
【請求項２】
前記の台車は二輪で、使用する際台車の台の前側が地面に接地しているのが特徴
【請求項３】
台車の台の後部にプレートを乗せた時に後ろにずれおちるのを防ぐストッパーがついているのが特徴
【請求項４】
台車の台、後部下に台車の前側を持ち上げ状態（ウィーリーした状態）で静止できるようにストッパーがついているのが特徴
【発明の詳細な説明】
【分野】
【０００１】この発明は工事現場などで地盤を固めるために使用する建設機械（名称プレート）を運搬するための台車に関する使用法、形状を示す
【背景技術】
【０００２】プレートを移動するときは二人がかりで持ち上げ一輪車に乗せたり、そのまま引きずって移動させていたが、今回の発明で図１が示すように持ち上げたり引きずったりすることなく移動させることができる
【発明の開示】
【発明が解決しようとしている課題】
【０００３】プレートは重量が重く一人で持ち上げるのは困難で引きずったまま移動するのも段差、地面が凸凹の時は移動に時間がかかる。
【課題を解決するための手段】
【０００４】手段としては、台車の車輪を二輪にすることにより台車の台の前側を地面に接地させ、台と地面の段差をなくした。
【発明の効果】
【０００５】重量のあるプレートを二人がかりで持ち上げたり引きずることなく、一瞬引っ張ってスライドさせることにより一人で台車にプレートを乗せることができ機動力がアップし仕事の効率が上がる。
【発明を実施するための最良の形態】
【０００６】この発明の実施形態を図２に示す。台車の台の部分はプレートの重量に耐えられる素材であればなんでもよい。車輪は一輪車のタイヤを小さくした様なタイヤ。台車の車輪を二輪にし台車にプレートを乗せた際、すべらないように台の後部に荷ずれ防止のストッパーとプレートを台車に乗せる際、台車自体が動かないように足で固定するためのストッパーを取り付けた。
【実施形態の効果】
【０００７】二輪にすることにより台車の台が地面に接地し積み下ろしが容易になる。ストッパーがあるため積み下ろしの際、台車が安定、積荷のプレートも安定。
【図面の簡単な説明】
【０００８】
【図１】この発明の使用法
【図２】この発明の実施形態を示す斜視図
【符号の説明】
１台車の台  ２車輪  ３台車の移動を防止するストッパー  ４荷ずれ防止ストッパー
【図１】
2006290322.tif 000003
【図２】
2006290322.tif 000004
(57)【要約】      （修正有）【課題】 体力のない人でも簡単に交換が可能なタイヤ交換台を提供する。【解決手段】タイヤ交換台は、キャスタ付きで自由に台が移動出来、ジャッキにてタイヤの上下が可能なため、簡単に自動車の車軸に合わせてタイヤ交換ができる。【選択図】図３
2006290321.tif 000002
【特許請求の範囲】
【請求項１】
この発明品は、主に自動車のタイヤ交換用として使用するものである。自動車の本体よりタイヤを取り外す時タイヤはかなりの重量のためこの交換台をタイヤの下に置く、自動車本体より外したタイヤはそのまま交換台に載せこの交換台はキャスタ付きの為自由に動くのでタイヤごと交換台を引き出す。同時に新たにタイヤを交換台に載せ自動車本体に先に取り外した時と同じような作業にてとりつける。
【請求項２】
この発明品は金属板厚み３〜４ｍｍ、長さ７５０〜８００ｍｍ幅２８０〜３３０ｍｍ、できるだけ強度の有る物で軽いものが良いので、網板の物だと強度もあり、滑り止めにもなりこの発明品には網板の物を使用した。この金属板の下には移動ができるようにキャスタを３乃至４箇所に取り付ける［図２］又金属板の中央に［図１］のようにジャツキーが固定される為コの字型の窪みを作る。金属板の窪みの深さは５０〜６０ｍｍ程でその窪みの中にジャツキーをはめ込み固定し、ジャツキーの上部に［図３］のように金属板を固定する。金属板の厚み３〜４ｍｍ、長さ６５０〜７００ｍｍ、幅２２０〜３００ｍｍ［図１］のように、この金属板にタイヤを載せるのであるが［図３］のように金属板の中央は平板よりも窪みが施してある。
【請求項３】
タイヤ楽々交換台の上部の金属板の上にタイヤを載せ金属板を支えているジャッキーのボルト［図１］を回す事によりタイヤは金属板ごと上のほうに上がり、車本体の車軸とタイヤホイルの中心が合った処で交換台ごと押し込む、次にタイヤと車軸をボルトにて固定する。
【発明の詳細な説明】
【発明の詳細な説明】
【０００１】この発明品は［請求項３］で説明したように、主に自動車のタイヤ交換に使用するものである。
【０００２】この発明品は今日まで見たこともなく、市場調査により類似品もない。
【０００３】このタイヤ楽々交換台は主にタイヤ交換用として使用するもので、車の本体よりタイヤを取り外す時にもタイヤの下にこの台を置く事により労力を使うことなく楽に作業ができ又［請求項３］で説明したように、楽に作業が出来る。
【０００４】この発明品は、比較的にタイヤの交換を必要とする地域として、東北地方などの雪の多い地域では利用価値も大である。この地域では、季節毎にスノウタイヤとノウマルタイヤの交換は必要で、かなりの労力であるが、この発明品を使えば体力の弱い人でも簡単で楽に取り付けが出来る。
【発明を実施するための最良の形態】
【０００５】この発明品は常時車に携帯出来緊急の時にも便利で有るが、特に女性や高齢者で人の手を必要とする人には、大きな助けになるものと思われる。
【発明の効果】
【０００６】この発明品が有ることで、今までにタイヤの交換を専門家に頼んでいた人にとっても、自分で出来る事により、無駄な経費の節約と気兼ねの心配もないことからすると、その価値は大きいとおもわれる。又普通の人でもタイヤの４本の交換は骨であるだけについ怠けたために事故に結びつく事も考えられるので、人命尊重の上からも社会的貢献出来るものと思われる。
【図１】
2006290321.tif 000003
【図２】
2006290321.tif 000004
【図３】
2006290321.tif 000005
【図４】
2006290321.tif 000006
【手続補正書】
【提出日】平成17年6月9日(2005.6.9)
【手続補正２】
【補正対象書類名】明細書
【補正対象項目名】全文
【補正方法】変更
【補正の内容】
【書類名】明細書    【発明の名称】タイヤ楽々交換台    【発明の詳細な説明】    【０００１】この発明品は「請求項３」で説明したように、主に自動車のタイヤ交換に使用するものである。    【０００２】この発明品は今日まで見たこともなく、市場調査により類似品もない。    【０００３】このタイヤ楽々交換台は主にタイヤ交換用として使用するもので、車の本体よりタイヤを取り外す時にもタイヤの下にこの台を置く事により労力を使うことなく楽に作業ができ又「請求項３」の説明のように、タイヤ取り付けも簡単で楽である。    【０００４】この発明品は、比較的にタイヤの交換を必要とする地域として、東北地方などの雪の多い地域では利用価値も大である。この地域では、季節毎にスノウタイヤとノウマルタイヤの交換は必要で、かなりの労力であるが、この発明品を使えば体力の弱い人でも簡単で楽に取り付けが出来る。    【０００５】この発明品は常時車に携帯出来緊急の時にも使用が出来便利で有るが、特に女性や高齢者で他人の手を必要とする人には、大きな助けになるものと思われる。    【０００６】この発明品が有ることで、今までにタイヤの交換を専門家に頼んでいた人にとつても、自分で出来る事により、経費と時間の節約と気兼ねの心配もないことからすると、その価値は大きいと思われる。タイヤ４本の交換は骨であるだけに、つい怠けたために事故に結びつく事も考えられるので、人命を尊ぶ上からも社会に貢献出来るものと思われる。    【図面の簡単な説明】    【０００７】    【図１】  平面図で２枚の金属板より下の板にはキャスタと中央にジャッキを取り付    ける。右端にタイヤ固定金具とタイヤ止めボルト入れ    【図２】  側面斜傾図ジャッキの中央の位置、タイヤ固定金具のシャフトとボルト側    面交換台移動用金具    【図３】  キャスタ交換台とタイヤ側面図、タイヤを交換台に乗せた図    【図４】  タイヤと交換台正面図、タイヤを交換台に乗せジャッキにてタイヤをもち    上げた図2006290321.tif 000007
(57)【要約】【課題】  本発明は、ポリエチレンフィルムを熱溶着させて形成した袋であり袋開口部を密封させることを目的としたポケット式バックを提供する。【解決手段】  ポケット式バック（１）においてポケット式バック（１）の上部にポケット部（２）、差し込み部（３）を設け、ポケット部（２）に折り返し溶着部（４）と握り部（６）を設け、差し込み部（３）に差し込み溶着部（５）と握り部（７）とシール部（８）を設けたことを特徴とする。【選択図】  図１
2006290396.tif 000002
【特許請求の範囲】
【請求項１】
ポケット式バック（１）において、ポケット式バック（１）の上部にポケット部（２）、差し込み部（３）を設け、ポケット部（２）にポケット溶着部（４）と握り部（６）を設け、差し込み部（３）に差し込み溶着部（５）と握り部（７）とシール部（８）を設けたことを特徴とするポケット式バック。
【発明の詳細な説明】
【技術分野】
【０００１】
本発明は、ポリエチレンフィルムを熱溶着させて形成した袋であり袋開口部をポケット部と差し込み部に分け、差し込み部をポケット部に差し込む事により密封させることを目的としたポケット式バックに関する物である。
【背景技術】
【０００２】
従来、本発明の様に密封させる袋としては、ポリエチレンフィルムで形成したチャック袋などが挙げられる（特許文献１参照）。
上記で上げたチャック袋で形成した袋は、生産コスト、及び価格面で一般消費者にかなり負担になっていた。そこで、本発明は、チャックを使わずに密封状態を形成させることが出来る袋を提案するものである。
【特許文献１】特開平７−２３２３９２号公報
【発明の開示】
【発明が解決しようとする課題】
【０００３】
解決しようとする問題点は、従来ポリエチレンフィルムで形成した袋は、生産コスト面、及び価格面で加工業者、一般消費者にかなり負担がかかり、チャック  袋などに詰めて販売されているシャンプーセット等の価格面での折り合いがつかず、一般消費者への負担となることがあった。
【０００４】
そこで、低価格で密封性を持たせることの出来る袋の開発が望まれていた。
上記の課題を解決するために本発明品のポケット式バックは、ポリエチレンフィルムを材料として用い平面加工にて熱溶着させバック袋を形成させ、開口部のフィルムを折り返し、熱溶着加工することにより折り返し部がポケット状に形成する。
【課題を解決するための手段】
【０００５】
ポケット式バック（１）において、ポケット式バック（１）の上部にポケット部（２）、差し込み部（３）を設ける。ポケット部（２）
ポケット溶着部（４）と握り部（６）を設ける。差し込み部（３）に差し込み溶着部（５）と握り部（７）とシール部（８）を設ける。
以上の様に構成されたポケット式バックである。
【０００６】
また通常、ポケット溶着部（４）、差し込み溶着部（５）を折り返し表面より４枚同時に熱溶着させると、折り返し部分を含めて全てシールされてしまうがポリエチレンフィルムの表面を一部特殊な処理を行うことにより、ポケット溶着部（４）、差し込み溶着部（５）を同時に熱溶着させてもポケット溶着部（４）、差し込み溶着部（５）同士は熱溶着されない為、ポケット溶着部（４）、差し込み溶着部（５）を分ける事が出来、ポケット部（２）に差し込み部（３）を差し込むことが可能である。  
【発明の効果】
【０００７】
以上説明した発明によれば、チャックを用いずに密着状態が形成されるため、生産コスト面で一般消費者に低価格にて提供することが出来、一般量販店でセット物として販売する際、開口部が密封されているため、万引きの防止に有効的である。
【発明を実施するための最良の形態】
【０００８】
以下、図面を用いて本発明品の実施の形態を説明する。
ポケット式バック（１）において、ポケット式バック（１）の上部にポケット部（２）、差し込み部（３）を設ける。ポケット部（２）にポケット溶着部（４）と握り部（６）を設ける。差し込み部（３）に差し込み溶着部（５）と握り部（７）とシール部（８）を設ける。図１は発明が示すバック袋を開封状態で表した物である。通常、熱溶着させシールするため、図１の状態で加工されるのではなく平面状に加工される。本発明の特徴であるポケット部であるが、図２の折り返し部（４ａ）、折り返し部（４ｂ）を熱溶着させ、折り返し部（５ａ）、折り返し部（５ｂ）を熱溶着させることにより、ポケット溶着部（４）、差し込み溶着部（５）を形成させ、差し込み部（３）を、ポケット部（２）に入れる事により密封状態を形成した袋になる。
【０００９】
図２は本発明の展開図を表した物である。
上記に述べた様に本発明は、ポケット状に形成することを目的しているため、図２の展開図に示した通り、折り返し部（４ａ）、折り返し部（４ｂ）を熱溶着し、折り返し部（５ａ）、折り返し部（５ｂ）を熱溶着させる事により、ポケット溶着部（４）と差し込み溶着部（５）を形成する。ポケット溶着部（４）、差し込み溶着部（５）は、本発明の重要な部分にあたるため、熱溶着をさせてはならない。そこで、図２展開図が示す様にポリエチレンフィルムには、表面、裏面があり、ポケット溶着部（４）、差し込み溶着部（５）同士を熱溶着させない方法としてポリエチレンフィルム表面を表面処理加工することにより表面の上部に熱溶着加工を行ってもポケット溶着部（４）、差し込み溶着部（５）を熱溶着させる事無く加工する事が可能である。
【図面の簡単な説明】
【００１０】
【図１】本発明の使用前の斜視図である。
【図２】本発明の展開図である。
【図３】本発明の断面図である。
【図４】本発明の使用後の斜視図である。
【符号の説明】
【００１１】
１  ポケット式バック
２  ポケット部
３  差し込み部
４  ポケット溶着部
４ａ  折り返し
４ｂ  折り返し
５  差し込み溶着部
５a   折り返し
５ｂ  折り返し
６  握り部
７  握り部
８  シール部
【図１】
2006290396.tif 000003
【図２】
2006290396.tif 000004
【図３】
2006290396.tif 000005
【図４】
2006290396.tif 000006
(57)【要約】【課題】  美容効果を高めるために加熱殺菌した米ぬかにシルクパウダーをまぜて、洗顔することで、米ぬかの有効成分とシルクパウダーの化粧用としての有効成分により人体の肌に自然な潤いを与え、肌を滑らかにする効果のある洗顔料を提供する。【解決手段】玄米を精製する際にできる米ぬかを、７５度以上で数分間炒めて殺菌した米ぬかに化粧品として効果のあるシルクパウダーを１０〜２０％混ぜ、絹の布袋に挿入したことを特徴とする粉末状洗顔料。【選択図】  図１
2006290859.tif 000002
【特許請求の範囲】
【請求項１】
７５度以上で数分間加熱殺菌した米ぬかとシルクパウダー入り米ぬか洗顔絹つつみ。
【請求項２】
加熱殺菌した米ぬかに化粧品用として使用されているシルクパウダーを１０〜２０％加えた請求項１記載のシルクパウダー入り米ぬか洗顔絹つつみ。
【請求項３】
加熱殺菌した米ぬかとシルクパウダーを混ぜ合わせ洗顔料として利用する請求項１〜２記載のシルクパウダーいり米ぬか洗顔絹つつみ。
【発明の詳細な説明】
【技術分野】
【０００１】  本発明は、米ぬかの中にシルクパウダーを入れ、絹の布で覆った洗顔に関するものである。
【背景技術】
【０００２】  従来、玄米を精米した際にできる米ぬかはビタミンの宝庫と呼ばれ、人体においては万病に効くとされており、又古来より化粧品関係では美容的用途に、米ぬか、又は米ぬかと塩を混ぜた洗顔料として洗顔に使われている。シルクパウダーと混ぜ合わせたものは見当たらない。例えば、特開平０７−２４２５３１公告がある。
【発明の開示】
【発明が解決しようとする課題】
【０００３】  それには次のような問題点があった。
（イ）シルクパウダーと米ぬかを混ぜた洗顔料は無い。
（ロ）加熱殺菌した米ぬかは使われていなかった。
（ハ）シルクパウダーと米ぬかを混ぜた洗顔料を絹の布で包んだ洗顔料で洗顔することは無かった。
本発明は、以上の問題点を解決するためのものである。
【課題を解決するための手段】
【０００４】  玄米を精米した際にできる米ぬかを７５度以上で数分間炒め食中毒の病原性菌を死滅させ、その殺菌米ぬかにシルクパウダーを１０〜２０％を加えて混ぜる。
絹の布袋を設け、シルクパウダー入り殺菌米ぬかを絹の袋に挿入する、その挿入口を完全に閉じる。以上を特徴とするシルクパウダー入り米ぬか洗顔絹つつみ。
【発明の効果】
【０００５】  より安全性のために米ぬかを加熱殺菌し、シルクパウダーと混合し絹の布袋でつつみ、洗顔します、髪も洗えます、効果は抜群です、老若男女問わず洗えます、アトピー肌を健康な肌色になります、口唇もマサージすると生き生きした口唇になります、以上のように本発明の洗顔料は、顔の肌表面の過剰量の脂肪、汚れ、つまり、毛穴の汚れを除去し、肌の新陳代謝を回復、促進し、肌にはりと自然な潤いを与え、かつ肌を滑らかにする事ができる米ぬかを加熱殺菌したことを特徴とする。
【発明を実施するための最良の形態】
【０００６】  以下、本発明の実施の形態を説明する。
（イ）玄米を精米して米ぬかを設ける。
（ロ）米ぬかを７５度以上で数分間炒め食中毒の病原性菌を死滅させる。
（ハ）加熱殺菌した米ぬかに１０〜２０％の化粧品であるシルクパウダーを混ぜる。
（ニ）加熱殺菌した米ぬかとシルクパウダー混ぜ合わせた洗顔料を絹の布袋に入れ閉じる。
（ホ）顔、髪の洗顔あるいはマッサージ等に効果がある。
本発明は、以上の構成よりなっている。
これを使用するときは、あらかじめ絹の布袋に入った加熱殺菌した米ぬかとシルクパウダーの洗顔料で顔、髪、手を洗顔する。
【図面の簡単な説明】
【０００７】
【図１】本発明の平面図である。
【図２】本発明の一部断面図と正面図である。
【符号の説明】
【０００８】１  絹の布袋
２  米ぬか
３  シルクパウダー
【図１】
2006290859.tif 000003
【図２】
2006290859.tif 000004
(57)【要約】【課題】皮膚炎の消炎剤が有って、「なぜ？  肺炎の消炎剤が無いのか？」と言う患者の立場で、科学の粋を集結させて考えた【解決手段】  発明は、コンビニエンスストアのビニル袋に、焼酎や日本酒を注ぎ、両耳にコンビニエンスストアの手提げを引っ掛け、口鼻から気化したアルコール（Ｃ２Ｈ５ＯＨ）吸引して、肺胞の一つ一つを殺菌するものである。【選択図】図１
2006290861.tif 000002
【特許請求の範囲】
【請求項１】
人体の肺の炎症をアルコールを使い、殺菌消毒する方法。
【発明の詳細な説明】
【発明の詳細な説明】
本発明は、自分の身体の肺が炎症を起こし、表皮の炎症と違う為に、「引っかく事も出来ず、どうにもならない」ので発明したものである。
従来の技術は、無かった。
発明は、コンビニエンスストアのビニル袋に、焼酎や日本酒を注ぎ、両耳にコンビニエンスストアの手提げを引っ掛け、口鼻から気化したアルコール（Ｃ２Ｈ５ＯＨ）吸引して、肺胞の一つ一つを殺菌するものである。
【図面の簡単な説明】
【図１】人体上半身  と  気化アルコール吸引肺炎消炎消毒ＭＥＴＨＯＤ
【図１】
2006290861.tif 000003
(57)【要約】【課題】  本発明は、工業的に容易に得られる原料から一工程で簡便にホモピペラジンを製造する方法を提供することを課題とする。【解決手段】  活性アルミナ等の脱水触媒の存在下で、１，３−ジアミノプロパンとエチレングリコールを気相接触反応せしめることを特徴とするホモピペラジンの製造方法であり、好ましくは、エチレングリコールの使用量が、１，３−ジアミノプロパン１モルに対して、０．８〜１．８モルであることを特徴とするホモピペラジンの製造方法。【特許請求の範囲】
【請求項１】
脱水触媒の存在下で、１，３−ジアミノプロパンとエチレングリコールを気相接触反応せしめることを特徴とするホモピペラジンの製造方法。
【請求項２】
脱水触媒がアルミナであることを特徴とする請求項１に記載の製造方法。
【請求項３】
エチレングリコールの使用量が、１，３−ジアミノプロパン１モルに対して、０．８〜１．８モルであることを特徴とする請求項１又は２に記載の製造方法。
【発明の詳細な説明】
【技術分野】
【０００１】
本発明は、医農薬の中間体原料として有用なホモピペラジンの製造方法に関する。
【背景技術】
【０００２】
従来、ホモピペラジンの製造方法としては、エチレンジアミンとアクリロニトリルとを反応させて、Ｎ−（２−シアノエチル）エチレンジアミンを得た後、４．５ＭＰａ〜１０．３ＭＰａの高圧水素条件下で、コバルト触媒やニッケル触媒を用いて分子内環化反応を行い製造する方法が知られている（例えば、非特許文献１又は２参照。）。しかし、従来製法は、工業的に容易に入手できる原料から二工程を必要とするため、工業的に有利な製法とはいえない。
【非特許文献１】Ｉｎｄ．Ｅｎｇ．Ｃｈｅｍ．Ｐｒｏｄ．Ｒｅｓ．Ｄｅｖ．，２１（４），６３２（１９８２）
【非特許文献２】Ｊ．Ｏｒｇ．Ｃｈｅｍ．，２６，１３１（１９６１）
【発明の開示】
【発明が解決しようとする課題】
【０００３】
本発明は、工業的に容易に入手できる原料から一工程でホモピペラジンを製造する方法を提供することを課題とする。
【課題を解決するための手段】
【０００４】
本発明は、脱水触媒の存在下で、１，３−ジアミノプロパンとエチレングリコールを気相接触反応せしめることを特徴とするホモピペラジンの製造方法に関する。
【発明の効果】
【０００５】
本発明の製造方法により、工業的に容易に入手できる原料から、一工程でホモピペラジンを製造することができるので、本発明によって簡便なホモピペラジンの製造方法を提供できる。
【発明を実施するための最良の形態】
【０００６】
以下本発明を詳細に説明する。
本発明の製造方法は、１，３−ジアミノプロパンとエチレングリコールを、気相にて脱水触媒に接触させて反応せしめることで実施される。
【０００７】
１，３−ジアミノプロパン及びエチレングリコールは市販品を用いることができる。これらは混合して反応器に供給してもよいし、別々に供給してもよい。エチレングリコールの使用量は１，３−ジアミノプロパン１モルに対して、通常０．２〜５モル、好ましくは０．５〜３モル、特に好ましくは０．８〜１．８モルである。
【０００８】
脱水触媒としては、一般にアルキルアルコールからオレフィンを生成する際に脱水触媒として用いられている活性アルミナ、γ−アルミナ等のアルミナ；ニオブ酸；モンモリロナイト；リン酸ニオブ；酸化チタン等が挙げられ、好ましくはアルミナであり、特に好ましくは活性アルミナである。これらの触媒は単独でまたは２種以上を混合して用いてもよく、本発明の目的を阻害しない範囲内であれば、他の触媒を併用することもできる。また、Ｒｕ、Ｒｈ等の貴金属を含有していてもよい。
【０００９】
本発明に用いられる触媒には、市販品または公知調製方法に基づいて調製されたものが用いられうる。
【００１０】
反応温度は、通常１５０〜４００℃、好ましくは２５０〜３５０℃である。原料供給の空間速度は、エチレングリコール及び１，３−ジアミノプロパンの混合溶液の液空間速度で通常０．１〜１０（ｇ／ｍｌ−触媒・ｈ）であり、好ましくは０．２〜５（ｇ／ｍｌ−触媒・ｈ）である。
【００１１】
反応は通常窒素ガス、アルゴンガス等の反応に不活性なガスの共存下で行われる。かかるガスの使用量は１，３−ジアミノプロパン１モルに対して、通常０．５〜２０モル、好ましくは１〜１０モルである。
【００１２】
また、本発明の製造方法は、水素やアンモニアを共存させても良い。共存させる場合の使用量としては、１，３−ジアミノプロパン１モルに対して、通常０．５〜２０モル、好ましくは１〜１０モルである。
【００１３】
反応終了後、ホモピペラジンを主成分とする反応混合ガスを水又は酸性水溶液に通じて溶解させ、ホモピペラジンを主成分とする反応混合液を得る。得られた反応混合液から、抽出、濃縮等の所望の分離操作によりホモピペラジンを得ることができる。また、ハロゲン化水素酸を用いて、ハロゲン化水素酸塩として得ることもできる。
【実施例】
【００１４】
以下に実施例を示し、本発明をより具体的に説明するが、本発明が実施例により限定されるものでない。尚、分析には島津製作所製ガスクロマトグラフィー（以後ＧＣと略する）分析装置ＧＣ−１４Ｂ型を用い、収率は１，３−ジアミノプロパンに基づくものである。
【００１５】
実施例１
内径２０ｍｍの反応管に触媒としてＮＫＨＤ２４（活性アルミナ；住友化学株式会社製）２３ｍｌ（１４．２ｇ）を詰め、その上に粒径１ｍｍ程度のカーボランダム１０ｍｌを詰めて触媒層とした。この反応管の上部より窒素ガス及びアンモニアガスをそれぞれ４０ｍｌ／ｍｉｎ、並びに水素ガス５０ｍｌ／ｍｉｎを流通させながら、１，３−ジアミノプロパンとエチレングリコールの混合溶液（モル比率；１，３−ジアミノプロパン：エチレングリコール＝１：１．５）を０．５（ｇ／ｍｌ−触媒・ｈ）の液空間速度で供給し、３００℃で反応した。得られた反応混合ガスを１００ｍｌの水に溶解させて、反応混合液を得た。反応混合液のＧＣ分析の結果、ホモピペラジンの収率は２３．５％であった。
【００１６】
実施例２〜４
実施例１の触媒及び１，３−ジアミノプロパンとエチレングリコールの混合溶液のモル比率を表１に示すとおりに代えた以外は実施例１と同様にして行い、反応混合液を得た。得られた反応混合液中のホモピペラジンの収率を表１に示す。なお、表１中、「１３ＤＡＰ」は１，３−ジアミノプロパンを、「ＥＧ」はエチレングリコールを示し、ＮＫＨＯ２４は住友化学株式会社製活性アルミナである。
【００１７】
【表１】
2006306790.tif 000002
(57)【要約】  【課題】  安全性が高く、毛再生効果に優れる育毛剤を提供する。  【解決手段】  ユキノシタ又はその抽出物を有効成分とする育毛剤。【選択図】  なし【特許請求の範囲】
【請求項１】
ユキノシタ又はその抽出物を有効成分とする育毛剤。
【発明の詳細な説明】
【技術分野】
【０００１】
本発明は、養毛・育毛効果を発揮する育毛剤に関する。
【背景技術】
【０００２】
男性型脱毛症、円形脱毛症などの脱毛症の多くは、未だその発症機序の詳細が不明である。従来これらの脱毛症の治療には、経験的に、血行促進剤、免疫抑制剤、代謝促進剤、ビタミン剤、抗男性ホルモン剤等の薬剤が用いられている。
【０００３】
しかしながら、これらの薬剤は、症状や体質によっては効果が異なる場合が多く、その効果も未だ満足できるものではない。また、多量に使用すると適応部位に不快な刺激感を与えたり、継続使用により皮膚炎が発生するといった場合もある。
【０００４】
一方、ユキノシタは、解熱、解毒、消炎作用を有し、古くから民間薬として使用されている植物である。最近では、表皮細胞賦活作用があり、肌荒れ、乾燥等に有用であることが報告されている（特許文献１）。しかしながら、ユキノシタに育毛作用があることはこれまでに知られていない。
【特許文献１】特開２００３−２９２４３２号公報
【発明の開示】
【発明が解決しようとする課題】
【０００５】
本発明は、症状や体質にかかわらず、発毛・育毛を促進し、種々の脱毛症に有効な育毛剤を提供することを目的とする。
【課題を解決するための手段】
【０００６】
本発明者らは、安全性が高い天然物を探索したところ、ユキノシタ又はその抽出物が優れた毛再生作用を有することを見出した。
【０００７】
すなわち本発明は、ユキノシタ又はその抽出物を有効成分とする育毛剤に係るものである。
【発明の効果】
【０００８】
本発明の育毛剤を頭皮等に適用することにより、適用部位において、優れた発毛・養毛・育毛作用が発揮される。
【発明を実施するための最良の形態】
【０００９】
本発明におけるユキノシタ（雪の下）とは、ユキノシタ科（Saxifragaceae）のユキノシタ（Saxifraga stolonifera）を意味する。当該ユキノシタは、全草、葉、茎、果実等をそのまま又は粉砕して用いることができるが、全草又は葉を使用するのが好ましい。
【００１０】
ユキノシタの抽出物としては、上記のユキノシタを常温又は加温下にて抽出するか又はソックスレー抽出器等の抽出器具を用いて抽出することにより得られる各種溶媒抽出液、その希釈液、その濃縮液又はその乾燥末が挙げられる。
【００１１】
本発明の抽出物を得るための抽出溶剤としては、極性溶剤、非極性溶剤のいずれをも使用することができ、これらを混合して用いることもできる。例えば、水；メタノール、エタノール、プロパノール、ブタノール等のアルコール類；プロピレングリコール、ブチレングリコール等の多価アルコール類；アセトン、メチルエチルケトン等のケトン類；酢酸メチル、酢酸エチル等のエステル類；テトラヒドロフラン、ジエチルエーテル等の鎖状及び環状エーテル類；ポリエチレングリコール等のポリエーテル類；ジクロロメタン、クロロホルム、四塩化炭素等のハロゲン化炭化水素類；ヘキサン、シクロヘキサン、石油エーテル等の炭化水素類；ベンゼン、トルエン等の芳香族炭化水素類；ピリジン類；超臨界二酸化炭素；油脂、ワックス、その他オイル等が挙げられ、このうち、ヘキサン、超臨界二酸化炭素などの低極性溶媒を用いるのが好ましい。
【００１２】
抽出条件は、使用する溶媒によっても異なるが、例えばヘキサンにより抽出する場合、ユキノシタ１重量部に対して１〜５０重量部の溶剤を用い、４〜１００℃、好ましくは室温〜６０℃の温度で、１時間〜１５０日間、より好ましくは１日〜３０日間抽出するのが好ましい。
【００１３】
上記の抽出物は、そのまま用いることもできるが、当該抽出物を希釈、濃縮若しくは凍結乾燥した後、必要に応じて粉末又はペースト状に調製して用いることもできる。
また、液々分配等の技術により、上記抽出物から不活性な夾雑物を除去して用いることもでき、本発明においてはこのようなものを用いることが好ましい。これらは、必要により公知の方法で脱臭、脱色等の処理を施してから用いてもよい。
【００１４】
本発明のユキノシタ又はその抽出物は、後記実施例に示すように、優れた毛再生作用を有することから、発毛・養毛・育毛作用及び脱毛予防効果を奏する医薬部外品、医薬品、毛髪化粧料等として使用可能な育毛剤とすることができる。尚、本発明において、育毛には、発毛、養毛及び脱毛予防の概念が包含されるものとする。
【００１５】
本発明の育毛剤の投与形態としては、経口剤、非経口剤の何れでもよいが、外用剤が好ましく、軟膏、ローション、トニック、スプレー、懸濁液、乳剤等の塗布剤とするのが好ましい。これらの剤型とするにあたっては、上記有効成分以外に、蒸留水、各種油剤、界面活性剤、ゲル化剤、防腐剤、酸化防止剤、溶剤、アルコール、キレート剤、増粘剤、色素、香料、水等を配合できる。
【００１６】
本発明の育毛剤は、ユキノシタ又はその抽出物の他に、通常用いられる養毛薬効剤、例えば、抗炎症剤、細胞賦活剤、皮脂分泌抑制剤、末梢血管拡張剤、アミノ酸類、ビタミン類等を必要に応じて適宜配合し、育毛効果の向上を図ることができる。また、その他医薬品等の成分として一般に使用されている保湿剤、紫外線吸収剤等を任意に組み合わせて配合することができる。
【００１７】
本発明の育毛剤におけるユキノシタ又はその抽出物の含有量は、添加形態及び投与形態によっても異なるが、広い範囲から選択できる。例えば、溶媒抽出乾燥物換算で、組成物中に０．００３質量％〜１０質量％、特に０．０３〜１質量％とするのが好ましい。
【実施例】
【００１８】
以下、実施例を挙げて本発明を更に詳細に説明する。
製造例１  ユキノシタ抽出物の調製
ユキノシタ（中国産）の全草４０ｇをとり、４００ｍＬのヘキサンを加え、室温で７日間静置抽出後、ろ過して抽出液３２２ｍＬを得た。エバポレーターにてこの抽出液の溶媒を留去し、エタノール３２２ｍＬに溶解させた。
【００１９】
実施例１  育毛試験
６週齢のＣ３Ｈ（ＨｅＮＣｒｊ）系雄性マウスを１週間予備飼育した後、電気バリカンを用いて約２×３ｃｍの面積の背部毛を皮膚が傷つかないように剃毛した。剃毛後除毛クリーム（カネボウ・エピラット除毛ミルキィクリーム）で除毛を行った。１群５匹、コントロール群は１０匹とし、剃毛部位に１日３回約１５０μＬずつをスプレーにより塗布を行った。製造例１にて調製したユキノシタ抽出物を８０％エタノールに溶解し、全て５％濃度で評価した。コントロールには溶媒（８０％エタノール）のみを使用した。スプレー塗布開始１４日目及び１７日目の背部の写真撮影を行い、画像解析装置を用いて再生毛面積比（再生毛面積／除毛面積）をコントロール群と比較した。結果を表１に示す。
表１より、ユキノシタ抽出物には、優れた育毛作用があることが示された。
【００２０】
【表１】
2006306737.tif 000002